(57)【要約】ユーザ機器（ＵＥ）が、ロング・ターム・エボリューションネットワーク内で動作する方法。方法は、ＵＥが、ソースセルから標的セルへのハンドオーバのためのコマンドを受信することを含む。方法はさらに、ＵＥが、標的セルのための有効な記憶されたシステム情報を有する場合、ＵＥが、ハンドオーバコマンド内のソースセルから受信した専用ｒａｄｉｏＲｅｓｏｕｒｃｅＣｏｎｆｉｇＣｏｍｍｏｎ情報要素を破棄することと、ＵＥが、記憶されたシステム情報から読み出した無線リソース構成情報を適用することとを含む。【選択図】図１
2013526202.tif 000002
【特許請求の範囲】
【請求項１】
ユーザ機器（ＵＥ）が、ロング・ターム・エボリューションネットワーク内で動作する方法であって、
前記ＵＥが、ソースセルから標的セルへのハンドオーバのためのコマンドを受信することと、
前記ＵＥが前記標的セルのための有効な記憶されたシステム情報を有する場合、前記ＵＥが、前記ハンドオーバコマンド内のソースセルから受信した専用ｒａｄｉｏＲｅｓｏｕｒｃｅＣｏｎｆｉｇＣｏｍｍｏｎ情報要素を破棄することと、前記ＵＥが、前記記憶されたシステム情報から読み出した無線リソース構成情報を適用することと
を含む、方法。
【請求項２】
前記無線リソース構成情報は、前記記憶されたシステム情報から読み出された共通ｒａｄｉｏＲｅｓｏｕｒｃｅＣｏｎｆｉｇＣｏｍｍｏｎを含む共通構成を含む、請求項１に記載の方法。
【請求項３】
前記ＵＥは、前記標的セルにアクセス後に、前記専用ｒａｄｉｏＲｅｓｏｕｒｃｅＣｏｎｆｉｇＣｏｍｍｏｎ情報要素を破棄し、前記記憶されたシステム情報から読み出された無線リソース構成情報を適用する、請求項１に記載の方法。
【請求項４】
前記ＵＥは、前記標的セルにアクセス前に、前記専用ｒａｄｉｏＲｅｓｏｕｒｃｅＣｏｎｆｉｇＣｏｍｍｏｎ情報要素を破棄し、前記記憶されたシステム情報から読み出された無線リソース構成情報を適用する、請求項１に記載の方法。
【請求項５】
ユーザ機器（ＵＥ）であって、
プロセッサを備え、前記プロセッサは、
前記ＵＥが、ソースセルから標的セルへのハンドオーバのためのコマンドを受信することと、
前記ＵＥが前記標的セルのための有効な記憶されたシステム情報を有する場合、前記ＵＥが、前記ハンドオーバコマンド内の前記ソースセルから受信した専用ｒａｄｉｏＲｅｓｏｕｒｃｅＣｏｎｆｉｇＣｏｍｍｏｎ情報要素を破棄すること、および、前記ＵＥが、前記記憶されたシステム情報から読み出された無線リソース構成情報を適用することと
を行うように構成されている、ＵＥ。
【請求項６】
前記無線リソース構成情報は、前記記憶されたシステム情報から読み出された共通ｒａｄｉｏＲｅｓｏｕｒｃｅＣｏｎｆｉｇＣｏｍｍｏｎを含む共通構成を含む、請求項５に記載のＵＥ。
【請求項７】
前記ＵＥは、前記標的セルにアクセス後に、前記専用ｒａｄｉｏＲｅｓｏｕｒｃｅＣｏｎｆｉｇＣｏｍｍｏｎ情報要素を破棄し、前記記憶されたシステム情報から読み出された無線リソース構成情報を適用する、請求項５に記載のＵＥ。
【請求項８】
前記ＵＥは、前記標的セルにアクセス前に、前記専用ｒａｄｉｏＲｅｓｏｕｒｃｅＣｏｎｆｉｇＣｏｍｍｏｎ情報要素を破棄し、前記記憶されたシステム情報から読み出された無線リソース構成情報を適用する、請求項５に記載のＵＥ。
【請求項９】
ユーザ機器（ＵＥ）が、ロング・ターム・エボリューションネットワーク内で動作する方法であって、
前記ＵＥが、ソースセルから標的セルへのハンドオーバのためのコマンドを受信することと、
前記ＵＥが、専用システム情報の情報要素を新しく受信したシステム情報および記憶された有効なシステム情報のうちの少なくとも１つの対応する情報要素によって上書きすることと
を含む、方法。
【請求項１０】
前記ＵＥが、第１の組のシステム情報から、前記ＵＥが有効な第２の組のシステム情報を既に記憶していると決定する場合、前記ＵＥは、前記記憶された有効なシステム情報を使用する、請求項９に記載の方法。
【請求項１１】
前記記憶された有効なシステム情報は、共通ｒａｄｉｏＲｅｓｏｕｒｃｅＣｏｎｆｉｇＣｏｍｍｏｎを含む共通構成を含む無線リソース構成情報を含む、請求項９に記載の方法。
【請求項１２】
前記ＵＥは、前記標的セルにアクセス後に、以前に受信した専用システム情報を上書きする、請求項９に記載の方法。
【請求項１３】
前記ＵＥは、前記標的セルにアクセスする前に、以前に受信した専用システム情報を上書きする、請求項９に記載の方法。
【発明の詳細な説明】
【背景技術】
【０００１】
本明細書で使用される場合、用語「ユーザ機器」および「ＵＥ」は、ある場合には、携帯電話、携帯情報端末、ハンドヘルドまたはラップトップコンピュータ、および電気通信能力を有する同様のデバイスまたは他のユーザ機器（「ＵＥ」）等のモバイルデバイスを指す場合がある。そのようなＵＥは、ＵＥと、加入者識別モジュール（ＳＩＭ）アプリケーション、汎用加入者識別モジュール（ＵＳＩＭ）アプリケーション、またはリムーバブルユーザ識別モジュール（Ｒ−ＵＩＭ）アプリケーションを含む汎用集積回路カード（ＵＩＣＣ）等であるが、それに限定されない、その関連付けられたリムーバブルメモリモジュールとから成る場合がある。代替として、そのようなＵＥは、そのようなモジュールを伴わずに、デバイス自体から成る場合がある。他の場合には、用語「ＵＥ」は、デスクトップコンピュータ、セットトップボックス、またはネットワーク器具等の同様の能力を有するが、可搬性ではないデバイスを指す場合がある。用語「ＵＥ」はまた、ユーザに対する通信セッションを終端することができる、任意のハードウェアまたはソフトウェア構成要素を指すことができる。また、用語「ユーザ機器」、「ＵＥ」、「ユーザエージェント」、「ＵＡ」、「ユーザデバイス」、および「ユーザノード」は、本明細書では、同義的に使用される場合がある。
【０００２】
電気通信技術の発展に伴って、以前には可能ではなかったサービスを提供することができるより高度なネットワークアクセス機器が導入されてきた。本ネットワークアクセス機器は、従来の無線電気通信システムにおける相当機器の改良である、システムおよびデバイスを含む場合がある。そのような高度または次世代機器は、ロング・ターム・エボリューション（ＬＴＥ）等の進化型無線通信規格内に含まれ得る。例えば、ＬＴＥシステムは、従来の基地局ではなく、進化型汎用地上無線アクセスネットワーク（Ｅ−ＵＴＲＡＮ）ノードＢ（ｅＮＢ）、無線アクセスポイント、または類似構成要素を含む場合がある。ＬＴＥは、第３世代パートナーシッププロジェクト（３ＧＰＰ）リリース８（Ｒｅｌ−８またはＲ８）およびリリース９（Ｒｅｌ−９またはＲ９）に対応し得る一方、ＬＴＥアドバンスド（ＬＴＥ−Ａ）は、リリース１０（Ｒｅｌ−１０またはＲ１０）および可能性としてリリース１０以上のリリースに対応し得る。
【発明の概要】
【課題を解決するための手段】
【０００３】
初めに、１つ以上の本開示の実施形態の例証的実装が、以下に提供されるが、本開示されるシステムおよび／または方法は、現在既知または現存するかに関わらず、任意の数の技法を使用して、実装され得ることを理解されたい。本開示は、本明細書に例証および説明される、例示的設計および実装を含む以下に例証される、例証的実装、図面、および技法にいかようにも限定されるべきではなく、添付の請求項の範囲とともに、均等物のその全範囲内において修正され得る。
【０００４】
本開示をより完全に理解するために、添付の図面および発明を実施するための形態と併せて理解される、以下の簡単な説明を参照し、類似参照数字は、類似部品を表す。
【図面の簡単な説明】
【０００５】
【図１】図１は、従来技術による、ｒａｄｉｏＲｅｓｏｕｒｃｅＣｏｎｆｉｇＣｏｍｍｏｎを含む共通構成の適用のフロー図である。
【図２】図２は、本開示のある実施形態による、ｒａｄｉｏＲｅｓｏｕｒｃｅＣｏｎｆｉｇＣｏｍｍｏｎを含む共通構成の適用のフロー図である。
【図３】図３は、本開示の代替実施形態による、ｒａｄｉｏＲｅｓｏｕｒｃｅＣｏｎｆｉｇＣｏｍｍｏｎを含む共通構成の適用のフロー図である。
【図４】図４は、本開示のいくつかの実施形態に実装するために好適なプロセッサおよび関連構成要素を例証する。
【発明を実施するための形態】
【０００６】
本開示は、ＬＴＥ／Ｅ−ＵＴＲＡネットワーク内におけるＵＥのハンドオーバに対処する。その中に、ＵＥが、現在、位置し、そこから、ＵＥが、ハンドオーバされる場合がある、セルは、本明細書では、ソースセルと称されるであろう。それに対して、ＵＥが、ハンドオーバされる場合がある、またはそれに対して、ＵＥが、ハンドオーバされたばかりであるセルは、本明細書では、標的セルと称されるであろう。
【０００７】
ＵＥが、Ｅ−ＵＴＲＡＮ内で通信している場合、ｒａｄｉｏＲｅｓｏｕｒｃｅＣｏｎｆｉｇＣｏｍｍｏｎとして知られる情報要素（ＩＥ）を受信する場合がある。本ＩＥは、物理層パラメータ、ランダムアクセスパラメータ等を含むことができる、セルの一組の無線構成パラメータを規定する。パラメータの値は、Ｅ−ＵＴＲＡＮの異なるセル内で異なり得る。パラメータは、ＵＥによって、標的セルとの接続を確立するために使用され、ＵＥとＥ−ＵＴＲＡＮとの間の無線通信が生じるために、パラメータは、ＵＥによって認識されていなければならない。以下の表は、専用ｒａｄｉｏＲｅｓｏｕｒｃｅＣｏｎｆｉｇＣｏｍｍｏｎ内に存在する場合がある、パラメータと、相当ブロードキャストパラメータの場所を列挙する。
【０００８】
【表１】
2013526202.tif 000003
【０００９】
【表２】
2013526202.tif 000004
ｒａｄｉｏＲｅｓｏｕｒｃｅＣｏｎｆｉｇＣｏｍｍｏｎは、２つの異なる方法において、ＵＥに提供することができる。第１に、Ｅ−ＵＴＲＡＮ内の各セルは、典型的には、セルのシステム情報において、より具体的には、ＳｙｓｔｅｍＩｎｆｏｒｍａｔｉｏｎメッセージにおける情報要素Ｓｙｓｔｅｍ  Ｉｎｆｏｒｍａｔｉｏｎ  Ｂｌｏｃｋ  Ｔｙｐｅ  ２（ＳＩＢ２）において、そのｒａｄｉｏＲｅｓｏｕｒｃｅＣｏｎｆｉｇＣｏｍｍｏｎをブロードキャストする。ｒａｄｉｏＲｅｓｏｕｒｃｅＣｏｎｆｉｇＣｏｍｍｏｎが、システム情報においてブロードキャストされる場合、共通ｒａｄｉｏＲｅｓｏｕｒｃｅＣｏｎｆｉｇＣｏｍｍｏｎと称することができ、パラメータは、ＩＥ  ｒａｄｉｏＲｅｓｏｕｒｃｅＣｏｎｆｉｇＣｏｍｍｏｎＳＩＢにおける３ＧＰＰＴｅｃｈｎｉｃａｌＳｐｅｃｉｆｉｃａｔｉｏｎ（ＴＳ）３６．３３１に定義されるように受信される。ＵＥは、現在その中に位置するソースセルから、および／または、ＵＥがそこにハンドオーバされる場合がある標的セルからブロードキャストされる共通ｒａｄｉｏＲｅｓｏｕｒｃｅＣｏｎｆｉｇＣｏｍｍｏｎを受信可能であり得る。ＳｙｓｔｅｍＩｎｆｏｒｍａｔｉｏｎＢｌｏｃｋＴｙｐｅ２を受信する際に、ＵＥは、３ＧＰＰＴＳ３６．３３１の第５．２．２．９節からの以下のプロシージャに従うよう要求される。
第５．２．２．９節  ＳｙｓｔｅｍＩｎｆｏｒｍａｔｉｏｎＢｌｏｃｋＴｙｐｅ２の受信に応じたアクション
ＳｙｓｔｅｍＩｎｆｏｒｍａｔｉｏｎＢｌｏｃｋＴｙｐｅ２を受信すると、ＵＥは、
１＞ｒａｄｉｏＲｅｓｏｕｒｃｅＣｏｎｆｉｇＣｏｍｍｏｎに含まれる構成を適用する。
【００１０】
第２に、ＵＥは、ＵＥの現在のソースセルから、ＵＥへの専用メッセージにおいて標的セルのｒａｄｉｏＲｅｓｏｕｒｃｅＣｏｎｆｉｇＣｏｍｍｏｎを受信する場合があり、パラメータは、３ＧＰＰ  ＴＳ  ３６．３３１において定義されるように、ＩＥ  ｒａｄｉｏＲｅｓｏｕｒｃｅＣｏｎｆｉｇＣｏｍｍｏｎにおいて受信される。すなわち、ｒａｄｉｏＲｅｓｏｕｒｃｅＣｏｎｆｉｇＣｏｍｍｏｎは、ＲＲＣＣｏｎｎｅｃｔｉｏｎＲｅｃｏｎｆｉｇｕｒａｔｉｏｎメッセージ内のｍｏｂｉｌｉｔｙＣｏｎｔｒｏｌＩｎｆｏ  ＩＥにも含まれる。ＲＲＣＣｏｎｎｅｃｔｉｏｎＲｅｃｏｎｆｉｇｕｒａｔｉｏｎメッセージは、Ｅ−ＵＴＲＡＮからセル内の多くのＵＥに送信される、ブロードキャストメッセージとは対照的に、Ｅ−ＵＴＲＡＮから特定のＵＥに送信される専用メッセージである。ｒａｄｉｏＲｅｓｏｕｒｃｅＣｏｎｆｉｇＣｏｍｍｏｎが、本メッセージに含まれる場合、専用ｒａｄｉｏＲｅｓｏｕｒｃｅＣｏｎｆｉｇＣｏｍｍｏｎと称することができる。ＲＲＣＣｏｎｎｅｃｔｉｏｎＲｅｃｏｎｆｉｇｕｒａｔｉｏｎ内へのｍｏｂｉｌｉｔｙＣｏｎｔｒｏｌＩｎｆｏの包含は、一般に、ハンドオーバコマンドとして知られている。専用ｒａｄｉｏＲｅｓｏｕｒｃｅＣｏｎｆｉｇＣｏｍｍｏｎは、ＵＥが、標的セルのブロードキャストチャネルから、ｒａｄｉｏＲｅｓｏｕｒｃｅＣｏｎｆｉｇＣｏｍｍｏｎを含む共通構成を取得する必要がある場合に生じるであろう遅延を回避するために、ハンドオーバコマンドに含まれる。専用ｒａｄｉｏＲｅｓｏｕｒｃｅＣｏｎｆｉｇＣｏｍｍｏｎの包含は、ハンドオーバには必須である。ハンドオーバを行う際、ＵＥは、３ＧＰＰＴＳ３６．３３１の第５．３．５．４節からの以下のプロシージャに従うように要求される。
第５．３．５．４節  ＵＥによる、ｍｏｂｉｌｉｔｙＣｏｎｔｒｏｌＩｎｆｏを含むＲＲＣＣｏｎｎｅｃｔｉｏｎＲｅｃｏｎｆｉｇｕｒａｔｉｏｎの受信（ハンドオーバ）
ＲＲＣＣｏｎｎｅｃｔｉｏｎＲｅｃｏｎｆｉｇｕｒａｔｉｏｎメッセージが、ｍｏｂｉｌｉｔｙＣｏｎｔｒｏｌＩｎｆｏを含み、ＵＥが、本メッセージに含まれる構成に準拠可能である場合、ＵＥは、
１＞受信したｒａｄｉｏＲｅｓｏｕｒｃｅＣｏｎｆｉｇＣｏｍｍｏｎに従って、下層を構成する。
【００１１】
ＩＥ  ｒａｄｉｏＲｅｓｏｕｒｃｅＣｏｎｆｉｇＣｏｍｍｏｎが、専用メッセージ内で受信される場合、ＩＥ内のパラメータは、ソースセル内で使用されている現在の構成と比較されるデルタ、すなわち変化として信号伝達され得る。１つ以上のパラメータ設定が、ソースセルと比較して、標的セル内で変化しない場合、そのパラメータまたはそれらのパラメータは、ＩＥに含まれる必要はなく、したがって、ハンドオーバコマンドに含まれるべきＩＥのサイズを縮小し得る。
【００１２】
セルの共通構成は、セルのブロードキャストチャネルから、ＵＥによって受信された情報の集合体である。具体的には、それは、Ｍａｓｔｅｒ  Ｉｎｆｏｒｍａｔｉｏｎ  Ｂｌｏｃｋ（ＭＩＢ）と、ＳＩＢ２からのｒａｄｉｏＲｅｓｏｕｒｃｅＣｏｎｆｉｇＣｏｍｍｏｎを含むセルのＳｙｓｔｅｍ  Ｉｎｆｏｒｍａｔｉｏｎ  Ｂｌｏｃｋ（ＳＩＢ）とを含む。
【００１３】
標的セルにハンドオーバされた後、ＵＥは、標的セルから、システム情報、すなわち、ＭＩＢおよびＳｙｓｔｅｍ  Ｉｎｆｏｒｍａｔｉｏｎ  Ｂｌｏｃｋ  Ｔｙｐｅ  １（ＳＩＢ１）に加えて、必要に応じて、他のＳＩＢを取得する。ＵＥは、本システム情報を記憶することができ、ＵＥが、セルからセルに移動するのに伴って、ＵＥは、複数のセルのためのシステム情報を記憶することができる。ＵＥが、以前に訪れたセルに戻る場合、ＵＥは、システム情報が、依然として、有効である場合、そのセルのために以前に記憶されたシステム情報の一部を再使用可能である場合がある。システム情報の有効性は、ＳＩＢ１内の値タグの使用を通して、決定することができる。値タグは、セルのための一組のシステム情報を識別するシーケンス番号である。ＵＥの記憶されたシステム情報の値タグが、ＵＥが、ＵＥが戻ったセルから受信するＳＩＢ１内の値タグと整合し、３時間の有効性タイマが期限切れになっていない場合、ＵＥは、記憶されたシステム情報が、そのセルのために有効であることを認識する。
【００１４】
ハンドオーバが完了すると、ＵＥは、３ＧＰＰＴＳ３６．３３１の第５．２．２．４節からの以下のプロシージャに従うように要求される。
１＞ハンドオーバの正常完了後、ＵＥが、第５．２．２．３節に定義されるように、ＲＲＣ＿ＣＯＮＮＥＣＴＥＤにおいて要求されるシステム情報の有効バージョンを記憶していない、セルに対して、
２＞第５．２．３節に定義されるように、システム情報取得プロシージャを使用して、第５．２．２．３節に定義されるように、ＲＲＣ＿ＣＯＮＮＥＣＴＥＤにおいて要求されるシステム情報を取得する
２＞当該システム情報を取得すると、
３＞該当する場合、専用メッセージ内で以前に受信されたｒａｄｉｏＲｅｓｏｕｒｃｅＣｏｎｆｉｇＣｏｍｍｏｎに含まれる対応する無線リソース構成情報を破棄する。
【００１５】
言い換えると、ＵＥが、標的セルのための有効な記憶されたシステム情報を有していない場合、ＵＥは、標的セルの共通ｒａｄｉｏＲｅｓｏｕｒｃｅＣｏｎｆｉｇＣｏｍｍｏｎを含む新しいＳＩＢ２を取得する必要がある。次いで、ＵＥは、ソースセルから以前に受信した専用ｒａｄｉｏＲｅｓｏｕｒｃｅＣｏｎｆｉｇＣｏｍｍｏｎを破棄し、標的セルから取得した共通ｒａｄｉｏＲｅｓｏｕｒｃｅＣｏｎｆｉｇＣｏｍｍｏｎを含む共通構成を適用する必要がある。ＴＳ  ３６．３３１の第５．２．２．９節は、ＳＩＢ２の受信に関して、共通ｒａｄｉｏＲｅｓｏｕｒｃｅＣｏｎｆｉｇＣｏｍｍｏｎの適用を要求する。
【００１６】
ＵＥが、セルのための有効な記憶されたシステム情報を有していないであろういくつかの理由が存在する。第１に、ハンドオーバは、ＵＥが以前に遭遇していないセルに対するものであり得る。第２に、記憶されたシステム情報は、３時間後に期限切れとなり、ＵＥが、標的セルに留まってから、３時間以上が経過していることがある。第３に、標的セルのＳＩＢ１内の値タグは、記憶されたシステム情報に関連付けられた値タグと整合せず、記憶されたシステム情報を無効にし得る。第４に、限定数のセルが、セルデータベース内に記憶され得る。新しいセルに遭遇する場合、元も古い入力が、破棄され得る。ＵＥが、非常に移動性である場合、記憶された入力は、破棄されている場合がある。第５に、ＵＥは、いくつかの以前に遭遇したセルからのシステム情報を記憶していない場合がある。以前に遭遇したセルからの情報の記憶は、移動デバイスのオプショナル実装であるが、デバイスにとって、システム情報の読取に関連付けられる電力消費を最小限にするために、そのような挙動を実装することが望ましい。
【００１７】
共通構成、特に、ＴＳ３６．３３１に規定されるような共通ｒａｄｉｏＲｅｓｏｕｒｃｅＣｏｎｆｉｇＣｏｍｍｏｎに関する既存の挙動は、図１のフロー図によって、説明される。ブロック１１０では、ＵＥは、最初、ソースセル、すなわち、セルＡ上にある。ブロック１２０では、ＵＥは、標的セル、すなわち、セルＢへのハンドオーバコマンドを受信する。ハンドオーバコマンドは、セルＢのための専用ｒａｄｉｏＲｅｓｏｕｒｃｅＣｏｎｆｉｇＣｏｍｍｏｎを含む。ブロック１３０では、ＵＥは、専用ｒａｄｉｏＲｅｓｏｕｒｃｅＣｏｎｆｉｇＣｏｍｍｏｎを適用する。ブロック１４０では、ＵＥは、セルＢにアクセスする。すなわち、ハンドオーバは、本時点で完了する。ブロック１５０では、ＵＥは、ＭＩＢおよびＳＩＢ１をセルＢから取得する。ブロック１６０では、ＵＥは、セルＢのための有効な記憶されたシステム情報を有するかどうか決定する。ＵＥが、セルＢのための有効な記憶されたシステム情報を有していない場合、フローは、ブロック１７０に継続し、ＵＥは、ＳＩＢ２をセルＢから取得する。ＳＩＢ２は、セルＢの共通ｒａｄｉｏＲｅｓｏｕｒｃｅＣｏｎｆｉｇＣｏｍｍｏｎを含む。ブロック１８０では、ＵＥは、専用ｒａｄｉｏＲｅｓｏｕｒｃｅＣｏｎｆｉｇＣｏｍｍｏｎを破棄する。ブロック１９０では、ＵＥは、セルＢから取得された共通ｒａｄｉｏＲｅｓｏｕｒｃｅＣｏｎｆｉｇＣｏｍｍｏｎを含む共通構成を適用する。
【００１８】
ブロック１６０において、ＵＥが、セルＢのための有効な記憶されたシステム情報を有すると決定される場合、プロセスは、終了する。すなわち、ＵＥは、有効な記憶されたシステム情報を有する場合、専用ｒａｄｉｏＲｅｓｏｕｒｃｅＣｏｎｆｉｇＣｏｍｍｏｎを使用し、有効な記憶されたシステム情報を有していない場合、共通ｒａｄｉｏＲｅｓｏｕｒｃｅＣｏｎｆｉｇＣｏｍｍｏｎを含む共通構成を使用する。したがって、記憶されたシステム情報の有効性に応じて、ＵＥは、異なる組の構成パラメータを適用し得る。
【００１９】
専用ｒａｄｉｏＲｅｓｏｕｒｃｅＣｏｎｆｉｇＣｏｍｍｏｎは、１つ以上の理由から、標的セルの共通ｒａｄｉｏＲｅｓｏｕｒｃｅＣｏｎｆｉｇＣｏｍｍｏｎと異なる場合がある。第１に、メッセージサイズを削減するために、ネットワークは、ハンドオーバコマンド内に最小部分構成のみ含み得、ＵＥが、共通ｒａｄｉｏＲｅｓｏｕｒｃｅＣｏｎｆｉｇＣｏｍｍｏｎから残りを得ることに依存し得る。第２に、ハンドオーバコマンドとブロードキャスト構成との間に不整合が存在し得る。
【００２０】
第３に、専用構成は、ハンドオーバのソースセルの構成からのデルタ構成であり得る。ネットワークは、２つのセル間の構成デルタを決定する必要がある。システム情報が、いずれかのセル上で変化する場合、デルタは、変化する必要があり得る。ハンドオーバが、ソースセル上のシステム情報修正と同時に生じた場合、ネットワークは、ＵＥが、新しいシステム情報を取得しているかどうか認識せず、したがって、古いまたは新しい構成からのデルタであるかどうか認識しないであろう。故に、ＵＥに送信されるデルタ構成は、ＵＥによって現在使用されているものと異なる構成からのデルタであり得る。
【００２１】
第４に、ＵＥは、あるリリース、例えば、リリース８のセルから、より最新のリリース、例えば、リリース９または１０のセルにハンドオーバされている場合がある。より最新のリリースは、種々の新しいパラメータをｒａｄｉｏＲｅｓｏｕｒｃｅＣｏｎｆｉｇＣｏｍｍｏｎ構成に導入している場合がある。以前のリリースセルから受信したハンドオーバメッセージ内の専用ｒａｄｉｏＲｅｓｏｕｒｃｅＣｏｎｆｉｇＣｏｍｍｏｎは、新しいパラメータを含まないが、標的セルによってブロードキャストされたｒａｄｉｏＲｅｓｏｕｒｃｅＣｏｎｆｉｇＣｏｍｍｏｎを含む共通構成は、新しいパラメータを含むであろう。ＵＥが、ハンドオーバ後、専用ｒａｄｉｏＲｅｓｏｕｒｃｅＣｏｎｆｉｇＣｏｍｍｏｎの使用を継続する場合、ＵＥは、新しいパラメータを認知しておらず、故に、それらの新しいパラメータに関連する新しい特徴を使用可能ではないであろう。
【００２２】
ＵＥが、有効な記憶された構成を有する場合、ＵＥが、記憶された構成を使用するための要件はない。故に、ハンドオーバ後、ＵＥは、記憶されたシステム情報が有効である場合、専用ｒａｄｉｏＲｅｓｏｕｒｃｅＣｏｎｆｉｇＣｏｍｍｏｎを使用し続けるであろう。
【００２３】
ある実施形態では、セルへのハンドオーバ後、ＵＥが、セルのための有効な記憶されたシステム情報を有すると決定する場合、ＵＥは、ハンドオーバコマンドにおいて受信した専用ｒａｄｉｏＲｅｓｏｕｒｃｅＣｏｎｆｉｇＣｏｍｍｏｎを破棄し、記憶されたシステム情報からの共通ｒａｄｉｏＲｅｓｏｕｒｃｅＣｏｎｆｉｇＣｏｍｍｏｎを適用する。本実施形態は、ＵＥが、ハンドオーバコマンドにおいて受信し、セルのシステム情報において送信される共通ｒａｄｉｏＲｅｓｏｕｒｃｅＣｏｎｆｉｇＣｏｍｍｏｎと異なり得る専用ｒａｄｉｏＲｅｓｏｕｒｃｅＣｏｎｆｉｇＣｏｍｍｏｎを使用し続けることがないことを確実にする。
【００２４】
以下の疑似コードは、本解決策の実施形態を例証する。
ｍｏｂｉｌｉｔｙＣｏｎｔｒｏｌＩｎｆｏを含むＲＲＣＣｏｎｎｅｃｔｉｏｎＲｅｃｏｎｆｉｇｕｒａｔｉｏｎを受信すると、
・・・
専用ｒａｄｉｏＲｅｓｏｕｒｃｅＣｏｎｆｉｇＣｏｍｍｏｎを適用する。
・・・
新しいセルに同期およびアクセスする。
ＭＩＢおよびＳＩＢ１を新しいセルから得る。
新しいセルのための有効な記憶された共通ｒａｄｉｏＲｅｓｏｕｒｃｅＣｏｎｆｉｇＣｏｍｍｏｎがない場合、
ＳＩＢ２を新しいセルから得る
専用ｒａｄｉｏＲｅｓｏｕｒｃｅＣｏｎｆｉｇＣｏｍｍｏｎを破棄する
共通ｒａｄｉｏＲｅｓｏｕｒｃｅＣｏｎｆｉｇＣｏｍｍｏｎを適用する
そうでなければ、
専用ｒａｄｉｏＲｅｓｏｕｒｃｅＣｏｎｆｉｇＣｏｍｍｏｎを破棄する
記憶された共通ｒａｄｉｏＲｅｓｏｕｒｃｅＣｏｎｆｉｇＣｏｍｍｏｎを適用する。
【００２５】
本実施例における最後の２つのステップは、現在実施されておらず、したがって、ＵＥは、現在、専用ｒａｄｉｏＲｅｓｏｕｒｃｅＣｏｎｆｉｇＣｏｍｍｏｎを使用し続けることが必要とされる。
【００２６】
これらの２つのステップを含む解決策の実施形態は、図２に例証される。図２におけるブロック１１０から１９０で生じるアクションは、図１における相当ブロック内で生じるアクションと同一である。しかしながら、ブロック１６０において、ＵＥが、セルＢのための有効な記憶されたシステム情報を有すると決定される場合、図２では、異なるアクションが生じる。本実施形態では、ブロック２１０において、ＵＥは、専用ｒａｄｉｏＲｅｓｏｕｒｃｅＣｏｎｆｉｇＣｏｍｍｏｎを破棄する。ブロック２２０では、ＵＥは、セルＢのための記憶されたシステム情報からの共通ｒａｄｉｏＲｅｓｏｕｒｃｅＣｏｎｆｉｇＣｏｍｍｏｎを含む共通構成を適用する。
【００２７】
代替実施形態では、標的セルへのハンドオーバを実施することを命じられると、ＵＥは、標的セルのためのその記憶されたシステム情報の有効性を決定する。ＵＥが、標的セルのためのその記憶されたシステム情報を有すると決定する場合、ＵＥは、ハンドオーバコマンドにおいて受信した専用ｒａｄｉｏＲｅｓｏｕｒｃｅＣｏｎｆｉｇＣｏｍｍｏｎを破棄し、記憶されたシステム情報からのｒａｄｉｏＲｅｓｏｕｒｃｅＣｏｎｆｉｇＣｏｍｍｏｎを含む共通構成を適用する。したがって、本実施形態では、ハンドオーバが生じる場合、ＵＥは、記憶されたシステム情報からのｒａｄｉｏＲｅｓｏｕｒｃｅＣｏｎｆｉｇＣｏｍｍｏｎを含む共通構成を使用して、標的セルにアクセスする。これは、ＵＥが、ハンドオーバコマンドにおいて受信した専用ｒａｄｉｏＲｅｓｏｕｒｃｅＣｏｎｆｉｇＣｏｍｍｏｎを使用して、ハンドオーバ時に標的セルにアクセスし、次いで、記憶されたシステム情報からのｒａｄｉｏＲｅｓｏｕｒｃｅＣｏｎｆｉｇＣｏｍｍｏｎを含む共通構成によってそれを上書きする以前の実施形態と対照であり得る。
【００２８】
図３は、本実施形態を例証する。この場合、ブロック１５０、１６０、２１０、および２２０におけるアクションは、ブロック１３０におけるアクションの後に生じる。ブロック１４０におけるアクション、すなわち、ハンドオーバまたはセルＢのアクセスは、ＵＥが、ブロック２２０において、セルＢのための記憶されたシステム情報からの共通構成を適用した後、生じる。
【００２９】
３６．３３１仕様は、これらの実施形態を実装するために、複数の点において、修正することができる。ここで、可能な修正のうちのいくつかの実施例が、提供される。第１の実施例では、第５．２．２．４節は、以下のように修正され得る。
１＞ハンドオーバ正常完了後、
２＞ＵＥが、第５．２．２．３節に定義されるように、ＲＲＣ＿ＣＯＮＮＥＣＴＥＤにおいて要求されるシステム情報の有効バージョンを記憶していない場合、
３＞第５．２．３節に定義されるように、システム情報取得プロシージャを使用して、第５．２．２．３節に定義されるように、ＲＲＣ＿ＣＯＮＮＥＣＴＥＤにおいて要求されるシステム情報を取得する
３＞当該システム情報を取得すると、
４＞専用メッセージ内で以前に受信したｒａｄｉｏＲｅｓｏｕｒｃｅＣｏｎｆｉｇＣｏｍｍｏｎに含まれる、対応する無線リソース構成情報を破棄する。
２＞そうでなければ、
３＞専用メッセージ内で以前に受信したｒａｄｉｏＲｅｓｏｕｒｃｅＣｏｎｆｉｇＣｏｍｍｏｎに含まれる、対応する無線リソース構成情報を破棄する
３＞記憶されたシステム情報からの構成を適用する。
【００３０】
第２の実施例では、第５．２．２．４節は、以下のように修正され得る。
１＞ハンドオーバの正常完了後、
２＞ＵＥが、第５．２．２．３節に定義されるように、ＲＲＣ＿ＣＯＮＮＥＣＴＥＤにおいて要求されるシステム情報の有効バージョンを記憶していない場合、
３＞第５．２．３節に定義されるように、システム情報取得プロシージャを使用して、第５．２．２．３節に定義されるように、ＲＲＣ＿ＣＯＮＮＥＣＴＥＤにおいて要求されるシステム情報を取得する
３＞当該システム情報の取得に応じて、
４＞専用メッセージ内で以前に受信したｒａｄｉｏＲｅｓｏｕｒｃｅＣｏｎｆｉｇＣｏｍｍｏｎに含まれる、対応する無線リソース構成情報を破棄する。
２＞そうでなければ、
３＞専用メッセージ内で以前に受信したｒａｄｉｏＲｅｓｏｕｒｃｅＣｏｎｆｉｇＣｏｍｍｏｎに含まれる、対応する無線リソース構成情報を破棄する
３＞記憶されたシステム情報からの共通ｒａｄｉｏＲｅｓｏｕｒｃｅＣｏｎｆｉｇＣｏｍｍｏｎを含む共通構成を適用する。
【００３１】
第３の実施例では、第５．３．５．４節は、以下のように修正され得る。
１＞Ｃ−ＲＮＴＩとして、ｎｅｗＵＥ−Ｉｄｅｎｔｉｔｙの値を適用する。
１＞受信したｒａｄｉｏＲｅｓｏｕｒｃｅＣｏｎｆｉｇＣｏｍｍｏｎに従って、下層を構成する。
注記：専用信号伝達によって受信したｒａｄｉｏＲｅｓｏｕｒｃｅＣｏｎｆｉｇＣｏｍｍｏｎは、標的セルのブロードキャスト構成が利用可能になるとすぐに、標的セルのブロードキャスト構成によって置換される。
１＞以前には網羅されていない任意の追加のフィールドが、受信したｍｏｂｉｌｉｔｙＣｏｎｔｒｏｌＩｎｆｏに含まれる場合、以前には網羅されていない任意の追加のフィールドに従って下層を構成する。
【００３２】
第４の実施例では、第５．３．５．４節は、以下のように修正され得る。
１＞Ｃ−ＲＮＴＩとして、ｎｅｗＵＥ−Ｉｄｅｎｔｉｔｙの値を適用する。
１＞受信したｒａｄｉｏＲｅｓｏｕｒｃｅＣｏｎｆｉｇＣｏｍｍｏｎに従って、下層を構成する
２＞専用信号伝達によって受信したｒａｄｉｏＲｅｓｏｕｒｃｅＣｏｎｆｉｇＣｏｍｍｏｎは、標的セルのブロードキャスト構成が利用可能になるとすぐに、標的セルのブロードキャスト構成によって置換される。
１＞以前には網羅されていない任意の追加のフィールドが、受信したｍｏｂｉｌｉｔｙＣｏｎｔｒｏｌＩｎｆｏに含まれる場合、以前には網羅されていない任意の追加のフィールドに従って下層を構成する。
【００３３】
第５の実施例は、第３および第４の実施例の延長と見なされ得る。本実施形態が実装される場合、第５．２．２．４節内の一部のテキストは、重複情報によって冗長となり得る。故に、一部のテキストは削除することができる。第５の実施例では、第５．２．２．４節は、以下のように修正され得る。
１＞第５．２．２．３節に定義されるように、ＵＥが、ＲＲＣ＿ＩＤＬＥにあって、ＵＥが、ＲＲＣ＿ＩＤＬＥにおいて要求されるシステム情報の有効バージョンを記憶していないセルに進入する場合、
２＞第５．２．３節に定義されるように、システム情報取得プロシージャを使用して、第５．２．２．３節に定義されるように、ＲＲＣ＿ＩＤＬＥにおいて要求されるシステム情報を取得する。
１＞ＣＤＭＡ２０００上層からの要求に従う
２＞５．２．３に定義されるように、ＳｙｓｔｅｍＩｎｆｏｒｍａｔｉｏｎＢｌｏｃｋＴｙｐｅ８を取得する。
【００３４】
前述で説明されるＵＥおよび他の構成要素は、前述のアクションに関連する命令を実行することが可能である、処理構成要素を含む場合がある。図４は、本明細書で開示される１つ以上の実施形態を実装するために好適な処理構成要素１３１０を含むシステム１３００の実施例を例証する。プロセッサ１３１０（中央プロセッサユニットまたはＣＰＵと呼ばれてもよい）に加えて、システム１３００は、ネットワーク接続デバイス１３２０と、ランダムアクセスメモリ（ＲＡＭ）１３３０と、読取専用メモリ（ＲＯＭ）１３４０と、二次記憶装置１３５０と、入力／出力（Ｉ／Ｏ）デバイス１３６０とを含む場合がある。これらの構成要素は、バス１３７０を介して、相互に通信する場合がある。場合によっては、これらの構成要素のうちのいくつかは存在しなくてもよく、または相互と、あるいは示されていない他の構成要素との種々の組み合わせで組み合わせられてもよい。これらの構成要素は、単一の物理エンティティ内、または２つ以上の物理エンティティ内に位置する場合がある。プロセッサ１３１０によって行われるものとして本明細書で説明されるアクションは、プロセッサ１３１０のみによって、あるいは図中に示される、またはデジタル信号プロセッサ（ＤＳＰ）１３８０等の示されない１つ以上の構成要素と協働するプロセッサ１３１０によって、行われる場合がある。ＤＳＰ１３８０は、別個の構成要素として示されるが、ＤＳＰ１３８０は、プロセッサ１３１０内に組み込まれる場合がある。
【００３５】
プロセッサ１３１０は、それがネットワーク接続デバイス１３２０、ＲＡＭ１３３０、ＲＯＭ１３４０、または二次記憶装置１３５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１３１０のみが示されているが、複数のプロセッサが存在し得る。したがって、命令が、プロセッサによって実行されているように述べられ得るが、命令は、同時に、順次、あるいは別様に１つまたは複数のプロセッサによって実行され得る。プロセッサ１３１０は、１つ以上のＣＰＵチップとして実装され得る。
【００３６】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の公知のデバイスの形態を成し得る。これらのネットワーク接続性デバイス１３２０は、プロセッサ１３１０が、情報を受信する場合があるか、またはプロセッサ１３１０が情報を出力する場合がある、インターネット、あるいは１つ以上の電気無線通信ネットワークまたは他のネットワークと、プロセッサ１３１０が通信することを可能にし得る。ネットワーク接続デバイス１３２０はまた、データを無線で伝送および／または受信可能な１つ以上の送受信機構成要素１３２５を含む場合がある。
【００３７】
ＲＡＭ１３３０は、揮発性データを記憶するため、およびおそらくプロセッサ１３１０によって実行される命令を記憶するために使用される場合がある。ＲＯＭ１３４０は、典型的には二次記憶装置１３５０のメモリ能力よりも小さいメモリ能力を有する、不揮発性メモリデバイスである。ＲＯＭ１３４０は、命令、およびおそらく命令の実行中に読み出されるデータを記憶するために使用される場合がある。ＲＡＭ１３３０およびＲＯＭ１３４０の両方へのアクセスは、典型的には、二次記憶装置１３５０へのアクセスよりも速い。二次記憶装置１３５０は、典型的には、１つ以上のディスクドライブまたはテープドライブから成り、ＲＡＭ１３３０が全ての作業用データを保持するのに十分大きくない場合、データの不揮発性保存用に、またはオーバーフローデータ記憶デバイスとして使用される場合がある。二次記憶装置１３５０は、プログラムが実行用に選択される場合、ＲＡＭ１３３０へロードされるプログラムを記憶するために使用され得る。
【００３８】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入出力デバイスを含み得る。また、送受信機１３２５は、ネットワーク接続デバイス１３２０の構成要素である代わりに、またはそれに加えて、Ｉ／Ｏデバイス１３６０の構成要素と見なされる場合がある。
【００３９】
ある実施形態では、ＵＥが、ＬＴＥネットワーク内で動作する方法が、提供される。方法は、ＵＥが、ソースセルから標的セルへのハンドオーバのためのコマンドを受信することを含む。方法はさらに、ＵＥが、標的セルのための有効な記憶されたシステム情報を有する場合、ＵＥが、ハンドオーバコマンド内のソースセルから受信した専用ｒａｄｉｏＲｅｓｏｕｒｃｅＣｏｎｆｉｇＣｏｍｍｏｎ情報要素を破棄することと、ＵＥが、記憶されたシステム情報から読み出した無線リソース構成情報を適用することとを含む。
【００４０】
別の実施形態では、ＵＥが提供される。ＵＥは、プロセッサを含み、プロセッサは、ＵＥが、ソースセルから標的セルへのハンドオーバのためのコマンドを受信し、ＵＥが標的セルのための有効な記憶されたシステム情報を有する場合、ＵＥが、ハンドオーバコマンド内のソースセルから受信した専用ｒａｄｉｏＲｅｓｏｕｒｃｅＣｏｎｆｉｇＣｏｍｍｏｎ情報要素を破棄し、ＵＥが、記憶されたシステム情報から読み出された無線リソース構成情報を適用するように構成されている。
【００４１】
別の実施形態では、ＬＴＥネットワーク内で動作するＵＥのための別の方法が、提供される。方法は、ＵＥが、ソースセルから標的セルへのハンドオーバのためのコマンドを受信することを含む。方法はさらに、ＵＥが、新しく受信したシステム情報および記憶された有効システム情報のうちの少なくとも１つの対応する情報要素によって、専用システム情報の情報要素を上書きすることを含む。
【００４２】
以下は、あらゆる目的のために、参照することによって本明細書に組み込まれる：３ｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）３６．３３１，  Ｖｅｒｓｉｏｎ  ８．９．０。
【００４３】
いくつかの実施形態が、本開示で提供されているが、開示されたシステムおよび方法が、本開示の範囲から逸脱することなく、多くの他の特定の形態で具現化され得ることを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【００４４】
また、離散したものまたは別個のものとして種々の実施形態の中で説明および例証される技術、システム、サブシステム、および方法は、本開示の範囲から逸脱することなく、他のシステム、モジュール、技法、または方法と組み合わせられ、または一体化し得る。連結もしくは直接連結または相互に通信するように例証または説明される他のアイテムは、電気的、機械的、またはその他の方法かどうかに関わらず、何らかのインターフェース、デバイス、または中間構成要素を通して、間接的に連結または通信し得る。変更、置換、および改変の他の例は、当業者により解明可能であり、本明細書で開示される精神および範囲から逸脱することなく行われる可能性がある。
【図１】
2013526202.tif 000005
【図２】
2013526202.tif 000006
【図３】
2013526202.tif 000007
【図４】
2013526202.tif 000008
【国際調査報告】
2013526202.tif 000009
2013526202.tif 000010